(57)【特許請求の範囲】
【請求項１】
ネットワークで接続された携帯端末と通信制御装置とで構成され、この通信制御装置は上記携帯端末の設定を変更するための端末とも接続されている携帯端末システムであって、
送信先アドレスを記憶する送信先ファイルと、
受信先アドレスを記憶する受信先ファイルと、
電子メール送受信に関する文章を含む表示メッセージを難易度とともに記憶する表示設定ファイルと、
上記表示設定ファイルに記憶された上記表示メッセージである文章を上記難易度に基づき選択する選択手段と、
上記選択手段で選択した内容に基づき、上記表示メッセージを設定する設定手段とを有する携帯端末装置と、
上記送信先ファイルに記憶された送信先アドレス又は上記受信先ファイルに記憶された受信先アドレスを変更する旨を上記端末から受け付け、上記携帯端末装置に対応する端末であるか否かを判定し、上記携帯端末装置に対応する端末であるときはこの端末を認証する認証手段と、
上記認証手段が認証した上記端末が設定した上記送信先アドレス又は受信先アドレスを上記端末と対応する上記携帯端末に送信し、上記送信先ファイル又は受信先ファイルを更新するアドレス更新手段とを有する通信制御装置と、
を備えたことを特徴とする携帯端末システム。
【請求項２】
上記送信先ファイルは、送信先アドレスと、この送信先アドレスと対となる表示名とを記憶し、
上記受信先ファイルは、受信先アドレスと、この受信先アドレスと対となる表示名とを記憶し、
上記表示設定ファイルには、メールの受信を示すメッセージと、送信先の設定を促すメッセージと、送信メール文とを難易度とともに記憶していて、
さらに、上記携帯端末装置は、
上記設定手段の設定に基づき、上記表示設定ファイルに記憶された送信先の設定を促すメッセージと、上記送信先ファイルに記憶された送信先アドレスと対になる表示名とを表示し、送信先の選択を受け付けた後、上記表示設定ファイルに記憶された送信メール文を表示し、送信メール文の選択を受け付けた後、上記通信制御装置を経由して、選択された送信先に選択された送信メール文を送信する送信処理手段と、
上記通信制御装置からメールを受信したとき、上記受信先ファイルに記憶された受信先アドレス以外から送信されたメールは削除し、上記受信先ファイルに記憶されたアドレスからメールを受信したときは、上記表示設定ファイルに記憶されたメールの受信を示すメッセージを受信したメールとともに表示する受信処理手段と、
を備えたことを特徴とする請求項１に記載の携帯端末システム。
【請求項３】
上記選択手段は、上記難易度に基づき表示メッセージを選択するとき、特定の対象に対応して上記表示メッセージ毎に定められた上記難易度を割り振り記憶している対象別難易度設定ファイルを用いることを特徴とする請求項１又は２に記載の携帯端末システム。
【請求項４】
上記対象別難易度設定ファイルが記憶している上記対象は、学校の学年であることを特徴とする請求項３に記載の携帯端末システム。
【請求項５】
上記携帯端末装置は、受信した電子メールを音声に変換し音声で上記電子メールの内容を通知する音声通知手段を有することを特徴とする請求項１〜４のいずれか１項に記載の携帯端末システム。
【請求項６】
上記携帯端末装置は、場所を特定の範囲で指定し、対となる位置情報とともに記憶する位置情報ファイルと、
上記携帯端末装置が存在する位置を検出する位置検出手段と、
上記位置検出手段で検出した位置に基づき、上記位置情報ファイルに記憶されている位置情報を検索し、この位置情報を上記電子メールの一部として送信する位置情報送信手段とを有することを特徴とする請求項１〜５のいずれか１項に記載の携帯端末システム。
【請求項７】
上記位置情報ファイルは、特定の範囲を経度及び緯度で指定することを特徴とする請求項６に記載の携帯端末システム。
【請求項８】
上記通信制御装置は、上記端末から、上記位置情報ファイルに記憶された上記位置情報を変更する通知を受け付け、上記認証手段が上記端末を認証したとき、
上記通信制御装置は、上記端末に地図情報を送信し、この地図情報の特定の範囲及びこの特定の範囲と対になる位置情報の指定を受け付け、上記位置情報ファイルを更新する位置情報処理手段を有することを特徴とする請求項６〜７のいずれか１項に記載の携帯端末システム。
【請求項９】
上記通信制御手段は、上記対象毎に、漢字又はひらがなで表示するかを定めた表示形式を記憶する対象別辞書ファイルと、
上記携帯端末装置に対する電子メールを受信したとき、上記対象別辞書ファイルを参照することにより上記表示形式を認識し、上記電子メールの文章を変換する表示変換手段とを有し、上記通信制御手段は、この変換した電子メールの文章を上記携帯端末装置に送信することを特徴とする請求項１〜８のいずれか１項に記載の携帯端末システム。
【請求項１０】
通信制御装置とネットワーク接続され、上記通信制御装置に接続された端末により設定を変更される携帯端末装置であって、
送信先アドレスを記憶する送信先ファイルと、
受信先アドレスを記憶する受信先ファイルと、
電子メール送受信に関する文章を含む表示メッセージを難易度とともに記憶する表示設定ファイルと、
上記表示設定ファイルに記憶された上記表示メッセージである文章を上記難易度に基づき選択する選択手段と、
上記選択手段で選択した内容に基づき、上記表示メッセージを設定する設定手段とを備え、
上記送信先ファイル及び受信先ファイルは、上記通信制御装置が認証した上記端末から変更される
とを備えたことを特徴とする携帯端末装置。
【請求項１１】
通信制御装置とネットワーク接続され、上記通信制御装置に接続された端末により設定を変更される携帯端末装置であって、
送信先アドレスとこの送信先アドレスと対となる表示名とを記憶する送信先ファイルと、
受信先アドレスとこの受信先アドレスと対となる表示名とを記憶する受信先ファイルと、
電子メール送受信に関して、メールの受信を示すメッセージと、送信先の設定を促すメッセージと、送信メール文とを含む表示メッセージを難易度とともに記憶する表示設定ファイルと、
上記表示設定ファイルに記憶された上記表示メッセージである文章を上記難易度に基づき選択する選択手段と、
上記選択手段で選択した内容に基づき、上記表示メッセージを設定する設定手段と、
上記設定手段の設定に基づき、上記表示設定ファイルに記憶された送信先の設定を促すメッセージと、上記送信先ファイルに記憶された送信先アドレスと対になる表示名とを表示し、送信先の選択を受け付けた後、上記表示設定ファイルに記憶された送信メール文を表示し、送信メール文の選択を受け付けた後、選択された送信先に選択された送信メール文を送信する処理を行う送信処理手段と、
上記通信制御装置からメールを受信したとき、上記受信先ファイルに記憶された受信先アドレス以外から送信されたメールは削除し、上記受信先ファイルに記憶されたアドレスからメールを受信したときは、上記表示設定ファイルに記憶されたメールの受信を示すメッセージを受信したメールとともに表示する受信処理手段とを備え、
上記送信先ファイル及び受信先ファイルは、上記通信制御装置が認証した上記端末から変更される
とを備えたことを特徴とする携帯端末装置。
【発明の詳細な説明】
【０００１】
【発明の属する技術分野】
本発明は、使用者に応じて機能及び操作性を設定することができる電子メール送受信機能を有する携帯端末システムに関するものである。
【０００２】
【従来の技術】
最近、携帯電話や携帯情報端末などの普及により、電話網を介して電子メールを送受信することが一般的にできるようになっている。しかし、限られた入力装置で文章を入力し、電子メールを送信することは、誰でもが簡単にできることではなく、携帯電話や携帯情報端末などは、子供や高齢者が簡単に気軽に、電子メールを送受信できるようには構成されていない。
【０００３】
例えば小学校低学年の子供が外出するとき、連絡のための手段として子供にPHS（Personal  Handyphone  System）や携帯電話などで機能の限られたものを持たせることができる。しかし、小学校低学年の子供であれば、緊急時などの判断がつかないため、やたらに電話する可能性がある。
【０００４】
また親など相手先が勤務中のとき、その職場に電話をしたとしても、会議等で席を外していれば、すぐ連絡が取れるとも限らず、相手先が所有している携帯電話に電話したとしても、常時身につけていなければすぐに連絡を取ることができない。相手先が通勤時や出張時など電車内にいるときも同様のことが言える。
【０００５】
また緊急性を伴わない連絡手段としては電子メールがあるが、携帯電話や携帯情報端末などの電子メール送受信機能は、文字入力や送受信操作が難しく、小学校低学年の子供では使いこなすことができない場合がある。
【０００６】
従来技術として、例えば特開２０００−２３５５３３号公報に、電子メール作成装置が示されている。特開２０００−２３５５３３号公報によると、電子メール作成時に文選択部において定型文書を選択して作成し、定型文書中の特定語は、カレンダーなどの特定情報獲得手段で入手して電子メール文書を組み立て、また送信アドレスも選択部により選択する技術が開示されている。このような従来の電子メール作成装置では、予め設定された中から選択してメール本文を作成し、送信先も同様に設定されたものから選択することにより、メール送信のための入力操作を少なくすることができる。
【０００７】
【発明が解決しようとする課題】
上述のような従来の電子メール作成装置では、以下のような問題点があった。フルキーボードを持たない携帯端末においては、本文及び送信先の初期設定入力が大変な作業である。特開２０００−２３５５３３号公報には、携帯端末での電子メール使用において、フルキーボードをもつデスクトップまたはノート端末などからの本文の初期設定方法についても開示されているため、文字入力なしのメールシステムを実現することができる。
【０００８】
ところで、子供は日々、学校で漢字を学び、様々な操作も覚えて、成長するものである。この成長に伴い、使いこなせる機能や読める漢字も増えるため、携帯端末の機能や操作性も向上していくことが望ましい。例えば小学校入学時用に、全てひらがなで表示され使用可能な機能を最小限にした携帯端末を用意したとしても、小学校３年生にもなればもっと高機能で操作が難しいものでも使えるようになっていることが多い。だからと言って、大人用の携帯端末ではまだ読めない漢字も多く、使いこなせない機能もついており、うっかり間違って使ってしまったために高額の料金を請求されるようなこともありうる。
【０００９】
本発明は上述のような問題点を解決するためになされたもので、必要な機能に限定された携帯端末ではあるが、子供の成長に応じて、電子メール本文やアドレスなどのデータのみでなく、表示する漢字や使用可能な機能などを増やしていくことで、機能や操作性を変更できる携帯端末システムを得ることを目的としている。
【００１０】
【課題を解決するための手段】
本発明に係る携帯端末システムは、ネットワークで接続された携帯端末と通信制御装置とで構成され、この通信制御装置は上記携帯端末の設定を変更するための端末とも接続されている携帯端末システムであって、送信先アドレスを記憶する送信先ファイルと、受信先アドレスを記憶する受信先ファイルと、電子メール送受信に関する文章を含む表示メッセージを難易度とともに記憶する表示設定ファイルと、上記表示設定ファイルに記憶された上記表示メッセージである文章を上記難易度に基づき選択する選択手段と、上記選択手段で選択した内容に基づき、上記表示メッセージを設定する設定手段とを有する携帯端末装置と、上記送信先ファイルに記憶された送信先アドレス又は上記受信先ファイルに記憶された受信先アドレスを変更する旨を上記端末から受け付け、上記携帯端末装置に対応する端末であるか否かを判定し、上記携帯端末装置に対応する端末であるときはこの端末を認証する認証手段と、上記認証手段が認証した上記端末が設定した上記送信先アドレス又は受信先アドレスを上記端末と対応する上記携帯端末に送信し、上記送信先ファイル又は受信先ファイルを更新するアドレス更新手段とを有する通信制御装置とを備えたことを特徴とするものである。
【００１１】
また、上記送信先ファイルは、送信先アドレスと、この送信先アドレスと対となる表示名とを記憶し、上記受信先ファイルは、受信先アドレスと、この受信先アドレスと対となる表示名とを記憶し、上記表示設定ファイルには、メールの受信を示すメッセージと、送信先の設定を促すメッセージと、送信メール文とを難易度とともに記憶していて、さらに、上記携帯端末装置は、上記設定手段の設定に基づき、上記表示設定ファイルに記憶された送信先の設定を促すメッセージと、上記送信先ファイルに記憶された送信先アドレスと対になる表示名とを表示し、送信先の選択を受け付けた後、上記表示設定ファイルに記憶された送信メール文を表示し、送信メール文の選択を受け付けた後、上記通信制御装置を経由して、選択された送信先に選択された送信メール文を送信する送信処理手段と、上記通信制御装置からメールを受信したとき、上記受信先ファイルに記憶された受信先アドレス以外から送信されたメールは削除し、上記受信先ファイルに記憶されたアドレスからメールを受信したときは、上記表示設定ファイルに記憶されたメールの受信を示すメッセージを受信したメールとともに表示する受信処理手段と、
を備えたことを特徴とするものである。
【００１２】
また、上記選択手段は、上記難易度に基づき表示メッセージを選択するとき、特定の対象に対応して上記表示メッセージ毎に定められた上記難易度を割り振り記憶している対象別難易度設定ファイルを用いることを特徴とするものである。
【００１３】
また、上記対象別難易度設定ファイルが記憶している上記対象は、学校の学年であることを特徴とするものである。
【００１４】
また、上記携帯端末装置は、受信した電子メールを音声に変換し音声で上記電子メールの内容を通知する音声通知手段を有することを特徴とするものである。
【００１５】
また、上記携帯端末装置は、場所を特定の範囲で指定し、対となる位置情報とともに記憶する位置情報ファイルと、上記携帯端末装置が存在する位置を検出する位置検出手段と、上記位置検出手段で検出した位置に基づき、上記位置情報ファイルに記憶されている位置情報を検索し、この位置情報を上記電子メールの一部として送信する位置情報送信手段とを有することを特徴とするものである。
【００１６】
また、上記位置情報ファイルは、特定の範囲を経度及び緯度で指定することを特徴とするものである。
【００１７】
また、上記通信制御装置は、上記端末から、上記位置情報ファイルに記憶された上記位置情報を変更する通知を受け付け、上記認証手段が上記端末を認証したとき、上記通信制御装置は、上記端末に地図情報を送信し、この地図情報の特定の範囲及びこの特定の範囲と対になる位置情報の指定を受け付け、上記位置情報ファイルを更新する位置情報処理手段を有することを特徴とするものである。
【００１８】
上記通信制御手段は、上記対象毎に、漢字又はひらがなで表示するかを定めた表示形式を記憶する対象別辞書ファイルと、上記携帯端末装置に対する電子メールを受信したとき、上記対象別辞書ファイルを参照することにより上記表示形式を認識し、上記電子メールの文章を変換する表示変換手段とを有し、上記通信制御手段は、この変換した電子メールの文章を上記携帯端末装置に送信することを特徴とするものである。
【００１９】
また、本発明に係る携帯端末装置は、通信制御装置とネットワーク接続され、上記通信制御装置に接続された端末により設定を変更される携帯端末装置であって、送信先アドレスを記憶する送信先ファイルと、受信先アドレスを記憶する受信先ファイルと、電子メール送受信に関する文章を含む表示メッセージを難易度とともに記憶する表示設定ファイルと、上記表示設定ファイルに記憶された上記表示メッセージである文章を上記難易度に基づき選択する選択手段と、上記選択手段で選択した内容に基づき、上記表示メッセージを設定する設定手段とを備え、
上記送信先ファイル及び受信先ファイルは、上記通信制御装置が認証した上記端末から変更されるとを備えたことを特徴とするものである。
【００２０】
また、送信先アドレスとこの送信先アドレスと対となる表示名とを記憶する送信先ファイルと、受信先アドレスとこの受信先アドレスと対となる表示名とを記憶する受信先ファイルと、電子メール送受信に関して、メールの受信を示すメッセージと、送信先の設定を促すメッセージと、送信メール文とを含む表示メッセージを難易度とともに記憶する表示設定ファイルと、上記表示設定ファイルに記憶された上記表示メッセージである文章を上記難易度に基づき選択する選択手段と、上記選択手段で選択した内容に基づき、上記表示メッセージを設定する設定手段と、上記設定手段の設定に基づき、上記表示設定ファイルに記憶された送信先の設定を促すメッセージと、上記送信先ファイルに記憶された送信先アドレスと対になる表示名とを表示し、送信先の選択を受け付けた後、上記表示設定ファイルに記憶された送信メール文を表示し、送信メール文の選択を受け付けた後、選択された送信先に選択された送信メール文を送信する処理を行う送信処理手段と、上記通信制御装置からメールを受信したとき、上記受信先ファイルに記憶された受信先アドレス以外から送信されたメールは削除し、上記受信先ファイルに記憶されたアドレスからメールを受信したときは、上記表示設定ファイルに記憶されたメールの受信を示すメッセージを受信したメールとともに表示する受信処理手段とを備え、上記送信先ファイル及び受信先ファイルは、上記通信制御装置が認証した上記端末から変更されるとを備えたことを特徴とするものである。
【００２１】
【発明の実施の形態】
実施の形態１．
使用者に応じて機能及び操作性を設定することができる電子メール送受信機能を有する携帯端末システムについて、説明する。本実施の形態においては携帯端末の使用者は、小学校就学の子供であるとし小学校の学年毎に機能及び操作性を設定できるとする。
【００２２】
図１は、本実施の形態である携帯端末システムを実現するためのシステム構成図である。図１において、１は子供側携帯端末、６１は通信制御装置、６２は親側端末である。子供側携帯端末１と通信制御装置６１とは携帯電話網で接続され、通信制御装置６１と親側端末６２とは例えばインターネットなどのネットワークで接続されている。また通信制御装置６１は、携帯電話サービス会社などが有する制御装置であり、子供側携帯端末１と親側端末６２との中継機能、子供側携帯端末１に対する電子メール（以下、「メール」と記す）の送受信機能を司る。親側端末６２は、パソコン、携帯端末などが考えられるが、ディスプレイなどの表示装置及びキーボードなどの入力装置を有するものであるものとする。
【００２３】
２は送信先アドレスを記憶する送信先ファイル、３は受信先アドレスを記憶する受信先ファイル、４は送受信可能アドレス数又は送受信記録有無情報を含む機能設定を難易度とともに記憶する機能設定ファイル、５は複数のメール送受信に関する文章を含む表示メッセージを難易度とともに記憶する表示設定ファイル、６は特定の対象に対応して機能設定及び表示メッセージ毎に定められた難易度を割り振り記憶している対象別難易度設定ファイルである。
【００２４】
７は選択手段であり、機能設定ファイル４に記憶された機能設定である送受信可能アドレス数又は送受信記録有無を難易度に基づき選択し、また表示設定ファイル５に記憶された表示メッセージである文章を難易度に基づき選択する。８は設定手段であり、選択手段７で選択した内容に基づき、上記機能設定及び表示メッセージを設定する。
９はメールの送信処理を行う送信処理手段であり、送信先設定手段１０、メール内容作成手段１１、送信記録採取手段１２を有する。また１３はメールの受信処理を行う受信処理手段であり、受信可否判定手段１４、受信内容表示手段１５、受信記録採取手段１６を有する。
【００２５】
１７は認証手段であり、送信先ファイル２に記憶された送信先アドレス又は３受信先ファイル３に記憶された受信先アドレスを変更する旨を親側端末６２から受け付け、子供側携帯端末１に対応する親側端末６２であるか否かを判定し、子供側携帯端末１に対応する親側端末６２であるときはこの親側端末６２を認証する。１８はアドレス更新手段であり、認証手段１７が認証した親側端末６２が設定した送信先アドレス又は受信先アドレスを親側端末６２と対応する子供側携帯端末１に送信し、送信先ファイル又は受信先ファイルを更新する。１９は保守処理手段であり、親側端末６２の設定に基づき対象別難易度設定ファイル６に設定された対象毎の個々の機能設定又は表示メッセージを変更する。２０は表示手段である。
【００２６】
図２は子供側端末１の表示画面２２と操作面２３との一例を用いて、メールを送信するときの操作の一例を示している。図２(a)は送信先を設定しているとき、図２(ｂ)は送信メール文を選択しているときの一例である。また図３はメールを受信したときの一例を示している。表示手段２０は、操作面２３の操作に基づき、表示画面２２にメッセージを表示する。また操作面２３には、「メール」ボタン２５、「矢印」ボタン２６、「きめる」ボタン２７、「やめる」ボタン２８、「メールをおくる」ボタン２９、「メールをもらう」ボタン３０がある。「矢印」ボタン２６は、図２に示すように、「上向き矢印」ボタン、「下向き矢印」ボタン、「右向き矢印」ボタン、「左向き矢印」ボタンがある。
【００２７】
図４は送信先ファイル２の構成を示した図であり、図４に示すように送信先ファイル２は表示画面２２に表示する「表示名」と、「表示名」と対になっていて子供側携帯端末１からメールを送信する相手先の「アドレス」から構成されている。図５は受信先ファイル３の構成を示した図であり、図５に示すように受信先ファイル３は表示画面２２に表示する「表示名」と、「表示名」と対になっていて、メールを受信する相手先の「アドレス」から構成されている。
【００２８】
図６は表示設定ファイル５の構成を示した図であり、図６に示すように表示設定ファイル５はメール受信表示ファイル３１（図６（ａ））、送信先設定表示ファイル３２（図６（ｂ））、送信メール表示ファイル３３（図６（ｃ））から構成されている。表示設定ファイル５はメールの送受信に関して表示画面２２に表示する文章を記憶しているが、その文章は使用者の操作性を考えた難易度が対になっている。本実施の形態では、使用者は小学校就学の子供であるから難易度は、子供の文章理解力又は漢字の難易度などの操作性を考えればよい。また図６の表示設定ファイル５では難易度を「レベル」と表示し、「レベル１」から順に難しくなるように設定している。送信メール表示ファイル３３（図６（ｃ））は、「レベル」毎の送信メールを設定しているが、「レベル」が高くなると選択できる送信メール文の数を増やすこともできる。
【００２９】
図７は機能設定ファイル４の構成を示した図であり、図７に示すように機能設定ファイル４は、送受信可能アドレス数ファイル４１及び送信先記憶有無情報ファイル４２から構成されている。機能設定ファイル４は送受信可能アドレス数を送受信可能アドレス数ファイル４１（図７（ａ））に、送受信記録有無情報を送信先記憶有無情報ファイル４２（図７（ｂ））に記憶していて、表示設定ファイル５と同様に、対となる「レベル」を定めている。
【００３０】
図８は対象別難易度設定ファイル６の構成を示した図であり、対象別難易度設定ファイル６は「レベル」毎に定めた機能設定及び表示メッセージを、対象毎にどのように定めるかを記憶している。なお以下説明のため、「機能設定及び表示メッセージ」をまとめて「機能」と表現することとする。
対象別難易度設定ファイル６は、対象に対応して難易度を割り振り記憶している対象別難易度設定ファイル（図８（ａ））、機能設定ファイル４と表示設定ファイル５で定められた機能を一覧にした機能種類ファイル（図８（ｂ））から構成されている、本実施の形態では対象は小学校の学年としていることから、対象別難易度設定ファイル（図８（ａ））ではそのように定めている。つまり、図８（ａ）に示すように、対象を「１年生」、「２年生」、「３〜４年生」、「５〜６年生」と定めている。
【００３１】
図９は本実施の形態における携帯端末システムの全体の流れを示したフローチャートである。初期設定として選択手段７及び設定手段８による機能設定、保守処理手段１９による送信先設定、受信先設定などがあるが、詳しくは後述する。
【００３２】
図２〜図９を用いてメールを送受信する処理の流れについて説明する。「対象」は「１年生」に設定しているとする。子供側携帯端末１でメールを送信するときは、使用者が図２に示した「メール」ボタン２５を押下する（ステップＳ０）と、表示手段２０が「送信」か「受信」かを選択できる画面（図示せず）を表示するため、その画面にて使用者は「矢印」ボタン２６を操作することにより、「送信」を選択する（ステップＳ１）。その後、送信処理が選択されたことを受け、送信先設定手段１０が対象別難易度設定ファイル６、表示設定ファイル５及び送信先ファイル２を参照することにより図２（ａ）の表示画面２２のように「送信先設定表示」２１（図２（ａ）では「だれにおくるの？」と表示）と「送信先の候補」表示２４（図２（ａ）では「ママ、パパ」と表示）とを表示する。使用者は、表示された「送信先の候補」表示２４の中から選択する送信先を「矢印」ボタン２５を用いて表示を反転させ、「きめる」ボタン２７を押下することにより送信先を選択する（ステップＳ２）。送信先が選択されたことを受け、メール内容作成手段１１が表示設定ファイル５のレベル１に記憶されている送信メールの文章を図２（ｂ）の表示画面２２のように表示する。その後使用者は、その表示された文章（図２（ｂ）では「でんわして！  おばあちゃんのいえにいく。  あやちゃんのいえにいく。  いま、こうえんにいる。」と表示）の中から送信メール文を選択する（ステップＳ３）。ステップＳ３において、送信メール文を選択する操作方法はステップＳ２で説明したと同様に、「矢印」ボタン２５及び「きめる」ボタン２７を用いる。選択した送信先又は送信メール文を変更するときは、「やめる」ボタン２８を押下し、「メール」ボタン２５を押下することで最初から処理をやり直すことができる。使用者が「メールをおくる」ボタン２９を押下することにより送信処理手段９が通信制御装置６１に対してメールを送信する（ステップＳ４）。
【００３３】
その後、機能設定ファイル４及び対象別難易度設定ファイル６を参照することにより、送信記録をとるかどうかを判断し（ステップＳ５）、送信記録を取るとしていたときは、送信記録を採取し（ステップＳ６）、処理を終了する（ステップＳ７）。ステップＳ５で送信記録を取らないとしていたときは、そのまま処理が終了する（ステップＳ７）。
【００３４】
次に、子供側携帯端末１でメールを受信するときの処理について説明する。処理が開始すると（ステップＳ１１）、通信制御装置６１から送信されたメールを受信処理手段１３が受付け（ステップＳ１２）、受信可否判定手段１４が受信先ファイル３を参照することにより受信先が受信することを設定済みのアドレスか否かを判定し（ステップＳ１３）、設定済みのアドレスであると判定したときは送信されたメールを受信し表示画面２２に表示する（ステップＳ１５）。図３は、メールを受信したときの一例を示しているが、「メール受信」表示６３（図３では「おてがみよんでね」と表示）及び「受信メール」内容６４（図３では「ママより  いま、どこにいるの？」と表示）を表示している。「メール受信」表示６３は、表示設定ファイル５を参照することで表示し、「受信メール」内容６４には受信先アドレスファイル３を参照することで受信メールのアドレスを表示名に変換して表示する。ステップＳ１３で、設定済みのアドレスではないと判定したときは、メールのメッセージを削除して（ステップＳ１４）、受信処理を終了する（ステップＳ１８）。
【００３５】
その後、機能設定ファイル４及び対象別難易度設定ファイル６を参照することにより、受信記録をとるかどうかを判断し（ステップＳ１６）、受信記録を取るとしていたときは、受信記録を採取し（ステップＳ１７）、処理を終了する（ステップＳ７）。ステップＳ１６で受信記録を取らないとしていたときは、そのまま処理が終了する。
【００３６】
次に選択手段７及び設定手段８による機能設定で、小学校の学年毎に機能及び操作性を設定する方法について、図１０及び図１１を用いて説明する。なおメールを送受信できる状態のときは、「通常モード」と呼ぶこととし、この機能設定を行っているときは、「更新モード」と呼ぶこととする。図１０（ａ）は、子供用携帯端末装置１の側面を表した図であり、側面には、「通常モード」と「更新モード」とを切り替えるスイッチ７１がある。使用者又は使用者の親等が機能設定をしようとするときに、スイッチ７１を「更新モード」へ切り替えることとする。図１０（ｂ）は、「更新モード」で対象を一括設定するときの表示画面２２であり、図１０（ｃ）は「更新モード」で選択した対象の機能を個別に設定するときの表示画面２２を示した図である。
【００３７】
また、図１１は「更新モード」の処理の流れを示すフローチャートである。機能設定の処理を開始し（ステップＳ２１）、使用者等がスイッチ７１を更新モードに移行したことを受け付け（ステップＳ２２）、選択手段７が表示画面２２に対象である小学校の学年を表示し（図１０（ｂ）に表示）、使用者等は、「矢印」ボタン２６、「きめる」ボタン２７及び「やめる」ボタン２８を用いて、対象を設定する（ステップＳ２３）。この設定を受けて、設定手段８は対象を記憶装置（図示せず）に記憶する。
【００３８】
その後、選択手段７は、ステップＳ２３で設定された対象により、対象別難易度設定ファイル６に記憶されている機能のレベルを機能個別設定画面（図１０（ｃ）に表示）を表示し、個別設定をするか否かの指定を受け付ける（ステップＳ２４）。使用者等は、「矢印」ボタン２６、「きめる」ボタン２７及び「やめる」ボタン２８を用いて、個別設定するか否かを選択する。個別設定を受け付けたときはその設定により、設定手段８が個別の機能設定を記憶装置（図示せず）に記憶する。このとき、設定手段８は対象別難易度設定ファイル６の選択された対象の機能別のレベルを直接書き換えるように構成してもよい。その後「更新モード」を解除し（ステップＳ２６）、処理が終了する（ステップＳ２７）。ステップＳ２４で個別設定しないとしたときも、「更新モード」を解除し（ステップＳ２６）、処理が終了する（ステップＳ２７）。「更新モード」の解除は、使用者がスイッチ７１を切り替える操作を受け付けるように構成してもいいし、設定手段８が機能設定を終了した後、自動的に「通常モード」に変更するように構成してもよい。
【００３９】
次に、親側端末６２からの送信先設定、受信先設定等について図１２に示したフローチャートを用いて説明する。親側端末６２からの処理を受け付けるとき、「保守モード」と呼ぶことにする。「保守モード」で親側端末６２からの入力を受け付けるのは、子供側携帯端末１からは設定できない、文字入力が必要な内容である。処理を開始し（ステップＳ３１）、親側端末６２は、通信制御装置６１に対して契約ユーザＩＤを送信し、認証手段１７がその契約ユーザＩＤを認証し、対応する子供側携帯端末１を認識する（ステップＳ３２）。契約ユーザＩＤと対応する子供側携帯端末１のメールアドレスとは、認証手段１７が記憶装置（図示せず）に記憶しているものとし、契約ユーザＩＤが認証できないとき、又は対応する子供側携帯端末１のメールアドレスが認識できないときは、処理を終了する。
【００４０】
その後初期設定機能選択のために、親側端末６２に対して通信制御装置６１は「保守モード」で設定できる機能を選択するための、プログラムを送信する。親側端末６２からは、その送信したプログラムからどの機能を設定するかを受け付けるが、送信先を設定するときは（ステップＳ３４）、アドレス更新手段１８が送信先ファイル２を更新するための情報を通信制御装置６１の記憶装置（図示せず）に記憶し（ステップＳ３５）、受信可能な受信先を設定するときは（ステップＳ３６）、アドレス更新手段１８は受信先ファイル３を更新するための情報を通信制御装置６１の記憶装置（図示せず）に記憶する（ステップＳ３７）。メール本文を設定するときは（ステップＳ３８）、表示設定ファイル５の送信メール表示を更新するための情報を通信制御装置６１の記憶装置（図示せず）に記憶する（ステップＳ３９）。設定終了のときは（ステップＳ４０）、子供側携帯端末装置１を「保守モード」に移行し（ステップＳ４１）、ステップＳ３４〜Ｓ３９で通信制御装置６１の記憶装置（図示せず）に記憶した機能設定を、アドレス更新手段１８及び保守処理手段１９が子供側携帯端末装置１の該当するファイルを更新する（ステップＳ４２）。子供側携帯端末装置１の「保守モード」を解除し（ステップＳ４３）、処理を終了する（ステップＳ４４）。
【００４１】
「保守モード」への移行は、通信制御装置６１が子供側携帯端末装置１に対する送受信処理を一時的に中止することで実現する。送受信処理を一時的に中止している間に、子供側携帯端末装置１の該当するファイルを更新し、この更新が終了したときに、「保守モード」を解除する。「保守モード」の解除により、一時的に中止した送受信処理を再開する。
【００４２】
なお、ステップＳ３４〜Ｓ３９で「送信先の設定」、「受信可能な受信先の設定」、「メール本文の設定」の個々の機能を設定しないときは、次の機能設定の処理に移行する。
【００４３】
以上説明したように本実施の形態によると、子供側携帯端末装置１に小学校の学年を対象として、その学年毎に、機能及び操作性を設定できるようにしたため、子供の成長に応じて機能設定をし直すことができ、言うなれば子供の成長とともに、子供用携帯端末装置１も成長させていくことができる。このように構成することで、子供が使いやすい機能及び操作性を提供することができ、長期に渡って使用できる。また機能限定することによって、子供用携帯端末装置１の不要なボタンや表示をなくすことができ、内部の回路を含めてＨ/Ｗ構成を簡略化することができ、製造単価を押さえることができる。
【００４４】
また、本実施の形態において、対象は小学校の学年としているが、携帯端末の操作に不慣れな高齢者向け、さらにビジネス向けの簡易連絡用の携帯端末として構成することもできる。
【００４５】
さらに、親側端末６２から通信制御装置６１に対して契約ユーザＩＤを送信し、認証を受け付ける処理に関しては、携帯電話サービス会社が契約者に対して、特定のＵＲＬ（Uniform  Resource  Locator）を公開し、契約者は親側端末６２から認証のための処理を行えばいいので、親側端末６２に特段必要なプログラム又はデータベースはない。
【００４６】
またさらに、メールを受信するとき、受信可否判定手段１４が受信先が受信することを設定済みであるかどうかを判定し、上記受信先ファイル３に記憶された受信先アドレス以外から送信されたメールを削除するように構成しているので、子供に不必要なメールを見せる心配もなくなる。
【００４７】
実施の形態２．
実施の形態２において、特徴的なことは「更新モード」で行う処理を親側端末６２から行うように構成していることである。
【００４８】
図１３は、実施の形態２におけるシステム構成図を示したものである。図１３において、１〜２０、６１及び６２は実施の形態１で示した図１で説明したものと同様である。８１は親側端末６２から「更新モード」の処理を行うために、親側端末６２に送信する更新プログラム、８２は更新プログラム８１を親側端末６２に送信するプログラム送信手段である。
【００４９】
図１４は、本実施の形態における「更新モード」の処理の流れを示したフローチャートである。処理を開始し（ステップＳ５１）、親側端末６２は、通信制御装置６１に対して「更新モード」の処理を行う旨を契約ユーザＩＤを送信し、認証手段１７がその契約ユーザＩＤを認証し、対応する子供側携帯端末１を認識する（ステップＳ５２）。契約ユーザＩＤが認証できないとき、又は対応する子供側携帯端末１のメールアドレスが認証できないときは、処理を終了する。「更新モード」での処理が選択されたことにより（ステップＳ５３）、プログラム送信手段８２は更新プログラム８１を親側端末６２へ送信する（ステップＳ５４）。親側端末６２に送信された更新プログラム８１は、図１０に示したような表示画面を親側端末６２に付属の表示装置（図示せず）に表示する。表示装置（図示せず）に対象である小学校の学年を表示し（図１０（ｂ）に表示）、親側端末６２の使用者は、親側端末６２に付属の入力装置（図示せず）から対象を設定する（ステップＳ５５）。この設定を受けて、親側端末６２に送信された更新プログラム８１はこの「対象」を記憶する。その後、ステップＳ５５で設定された「対象」により、対象別難易度設定ファイル６に記憶されている機能のレベルを表示し（図１０（ｃ）に表示）、個別設定をするか否かの指定を受け付ける（ステップＳ５６）。親側端末６２の使用者は、付属の入力装置（図示せず）を用いて、個別設定するか否かを選択する。個別設定を受け付けたときはその設定を更新プログラム８１が記憶する（ステップＳ５７）。その後、子供用携帯端末１を「更新モード」として（ステップＳ５８）、親側端末６２で記憶した更新プログラムの内容を子供用携帯端末１へ送信し、子供用携帯端末１の設定を更新する（ステップＳ５９）。子供用携帯端末１の「更新モード」を解除し（ステップＳ６０）、処理が終了する（ステップＳ６１）。「通常モード」、「保守モード」の処理の流れは、実施の形態１で説明したとおりである。
【００５０】
以上説明したように本実施の形態によると、「更新モード」での処理は、親側端末６２からも行うことができ、また必要なプログラムは携帯電話サービス会社などが有する通信制御装置６１から送信するように構成するので、親側端末６２に特段必要なプログラム又はデータベースはない。
【００５１】
実施の形態３．
実施の形態３において特徴的なことは、受信したメールを音声に変換し音声でこのメールの内容を通知するように構成したことと、子供用携帯端末１の位置を検出する手段を有し、送信メールの一部として位置情報を送信する機能を有することである。
【００５２】
図１５は、実施の形態３におけるシステム構成図を示したものである。図１５において、１〜２０、６１及び６２は実施の形態１で示した図１で説明したものと同様である。８３は場所を特定の範囲（例えば、緯度及び経度による）で指定し、対になる位置情報とともに記憶する位置情報ファイル、８５は子供用携帯端末１が存在する位置を検出する位置検出手段、８６は位置検出手段８５が検出した位置に基づき、位置情報ファイル８３に記憶されている位置情報を選択し、この位置情報をメールの一部として送信する位置情報送信手段である。
【００５３】
また８７は特定の範囲と対になる位置情報を指定するために、親側端末６２の表示画面（図示せず）に地図情報を表示するための地図情報ファイル、８８は親側端末６２に地図情報ファイル８７を送信し、親側端末６２からの指定により位置情報ファイル８３を構成する位置情報処理手段である。８４は子供用携帯端末１が受信したメールを音声に変換する音声通知手段である。
【００５４】
図１６は、位置情報ファイル８３の構成を示した一例である。位置情報ファイル８３は、「特定の範囲」（図１６では、「西」、「東」、「南」、「北」と記す）と、これと対になる位置情報である「表示名」から構成される。例えば、表示名「ゆりちゃんのいえ」は、西「Ｘa1」、東「Ｘa2」、南「Ｙb1」、北「Ｙb2」で指定され、表示名「おばあちゃんのいえ」は、西「Ａa1」、東「Ａa2」、南「Ｂb1」、北「Ｙb2」で指定される。このとき、「西」、「東」、「南」、「北」を結ぶ４辺で囲まれた四角形の中側が「特定の範囲」であることを示している。
【００５５】
図１７は、位置情報ファイル８３に基づき親側端末６２の表示画面（図示せず）に位置情報を表示した一例を示した図である。この地図上の位置情報で、位置情報処理手段８８は、親側端末６２の使用者から表示画面（図示せず）をタッチ操作することなどにより特定の範囲の指定を受け付け、対となる位置情報とともに、位置情報ファイル８３に記憶する。図１７(a)は、「ゆりちゃんのいえ」を４辺で囲むように指定した例、図１７(b)は、「ゆりちゃんのいえ」を円で囲むように指定した例である。図１７(a)で示した指定方法により、図１６の位置情報ファイル８３の「特定の範囲」が定められる。図１７(b)で示した指定方法では、円の中側に位置する点を緯度及び経度で列挙するように構成することができる。例えば、親側端末６２の表示画面（図示せず）でタッチ操作で、円の指定を受け付けたとき、位置情報処理手段８８は指定された円の中側に位置する点を検出し、「Ｘa1Ｙb1」、「Ｘa2Ｙb1」、「Ｘa1Ｙb2」…と円の中側に位置する点を列挙する。なお、この方法によれば、「特定の範囲」は、円だけでなく、多角形など囲まれる範囲を特定できる形であれば、よいことになる。
【００５６】
位置検出手段８５及び位置情報送信手段８６により、メールの一部として位置情報を送信する処理の流れについて説明する。送信手段９が送信処理を受け付けると、メール内容作成手段１１が送信メールを作成する。このとき、子供用携帯端末装置１の操作面２３から送信メールの一部に位置情報を含むようなメールを選択したときは、位置検出手段８５が子供用携帯端末１が存在する位置を検出し、位置情報送信手段８６が位置検出手段８５が検出した位置に基づき、位置情報ファイル８３に記憶されている位置情報を選択し、この位置情報をメール内容作成手段１１が作成したメールの一部として組み込み送信する。
【００５７】
一例を挙げると、メール内容作成手段１１が「いま、○○にいる。」という文章を作成したとき、「○○」には子供用携帯端末１がある位置が組み込まれるとする。位置検出手段８５が現在の位置を検出し、位置情報ファイル８３を参照することにより、「表示名」を定める。例えば、西「Ｘa1」、東「Ｘa2」、南「Ｙb1」、北「Ｙb2」で囲まれた四角形の中に、現在の位置があったとき、「表示名」は「ゆりちゃんのいえ」とし、「○○」には「ゆりちゃんのいえ」が組み込まれる。その後、位置情報送信手段８６が「いま、ゆりちゃんのいえにいる。」という文章を送信する。
【００５８】
図１７(b)で示した指定方法により、位置情報ファイル８３には特定の範囲内の点が列挙されているときは、位置検出手段８５が検出した点が、位置情報ファイル８３に列挙された点に含まれるか、どうかで「表示名」を確定する。
【００５９】
さらに、位置要求受付手段（図示せず）を設け、子供側携帯端末１の位置を要求するメールを受け付けた相手先に、位置情報送信手段８６が位置情報を含んだメールを送信するように、構成することができる。位置を要求するメールは、例えば「位置要求メール」などの固定の文章とする。位置要求受付手段（図示せず）がその文章のメールを受け取ったら、位置情報送信手段８６は上述のように、「いま、○○にいる」という文章の「○○」に特定の場所を組み込み、メールを相手先に送信する。このように構成することにより、親等の相手先が要求したときに、子供側携帯端末１の位置を知ることができる。
【００６０】
また音声通知手段８４により、子供用携帯端末１が受信したメールを音声に変換して、音声でメールの内容を通知するように構成することもできる。
【００６１】
以上説明したように本実施の形態によると、位置情報を送信できる手段を備えたため、子供用携帯端末１から任意の表示名で特定できる位置情報を送信することができる。これにより、子供の親等は、子供のいる場所を把握することができる。また「特定の範囲」は、端末側で、四角形、円、多角形で囲むように任意に指定することができる。また、音声通知手段８４を備えたため、まだ文字の読めない１年生当初の子供でも使用することができる。
実施の形態４．
実施の形態４において特徴的なことは、子供用携帯端末１の対象に応じて（例えば、小学校１年生）、受信メールの表示を漢字にするかひらがなにするかを変えることができる点である。
【００６２】
図１８は、実施の形態４におけるシステム構成図を示したものである。図１８において、１〜２０、６１及び６２は実施の形態１で示した図１で説明したものと同様である。対象別辞書ファイル９１は、対象に応じて受信メールの漢字表示率を定めたものであり、表示変換手段９２はこの対象別辞書ファイル９１に基づき受信メールを漢字又はひらがなで表示するかを定める。
【００６３】
図１９は、対象別辞書ファイル９１の構成の一例を示したものである。「対象」（例えば、「1年生」）毎に、「文字表示基準」（例えば、「ひらがな」のみ）を定めている。本実施の形態においても、子供用携帯端末１の対象者を記憶装置（図示せず）に記憶している。通信制御装置６１が子供用携帯端末１向けのメールを中継するとき、表示変換手段９２は子供用携帯端末１に記憶された対象者と、対象別辞書ファイル９１の「文字表示基準」とにより、中継メールを変換する。その後、変換したメールを子供用携帯端末１に対して、送信する。
【００６４】
以上説明したように本実施の形態によると、子供用携帯端末１の対象者に応じて、メールの表示を漢字又はひらがなで表示するかを変更することができる。これにより、子供は確実に読むことができる表示で、メールを受け取ることが出来る。子供用携帯端末１に対してメールを送信する相手先は、漢字が読めるかどうか、ひらがなで表示した方がいいかどうかを考える必要がない。
【００６５】
【発明の効果】
本発明は、以上説明したように構成されているので、以下に示すような効果を奏する。
【００６６】
子供の成長に応じて、電子メール本文やアドレスなどのデータのみでなく、表示する漢字や使用可能な機能などを増やしていくことで、機能や操作性を変更できる携帯端末システムを得ることができる。
【図面の簡単な説明】
【図１】  実施の形態１において携帯端末システムを実現するためのシステム構成図である。
【図２】  子供側端末１において、メールを送信するときの表示画面２２及び操作面２３の一例を示した図である。
【図３】  子供側端末１において、メールを受信するときの表示画面２２及び操作面２３の一例を示した図である。
【図４】  送信先ファイル２の構成の一例を示した図である。
【図５】  受信先ファイル３の構成の一例を示した図である。
【図６】  表示設定ファイル５の構成の一例を示した図である。
【図７】  機能設定ファイル４の構成の一例を示した図である。
【図８】  対象別難易度設定ファイル６の構成の一例を示した図である。
【図９】  実施の形態１において携帯端末システムの全体の流れを示したフローチャートである。
【図１０】  実施の形態１〜４において更新モードにおける表示画面２２及び操作面２３の一例を示した図である。
【図１１】  実施の形態１における更新モードの処理の流れを示すフローチャートである。
【図１２】  保守モードの処理の流れを示すフローチャートである。
【図１３】  実施の形態２において携帯端末システムを実現するためのシステム構成図である。
【図１４】  実施の形態２における更新モードの処理の流れを示すフローチャートである。
【図１５】  実施の形態３において携帯端末システムを実現するためのシステム構成図である。
【図１６】  位置情報ファイル８３の構成の一例を示した図である。
【図１７】  親側端末６２の表示画面に位置情報を表示した一例を示した図である。
【図１８】  実施の形態４において携帯端末システムを実現するためのシステム構成図である。
【図１９】  対象別辞書ファイル９１の構成の一例を示した図である。
【符号の説明】
１  携帯端末装置（子供用携帯端末）、２  送信先ファイル、３  受信先ファイル、４  機能設定ファイル、５  表示設定ファイル、６  対象別難易度設定ファイル、７  選択手段、８  設定手段、９  送信処理手段、１７  認証手段、１８  アドレス更新手段、１９  保守処理手段、６１  通信制御装置、６２  端末（親側端末）、８３  位置情報ファイル、８４  音声通知手段、８５  位置検出手段、８６  位置情報送信手段、８８  位置情報処理手段、９１  対象別辞書ファイル、９２  表示変換手段。
【図１】
0003848180.tif 000002
【図２】
0003848180.tif 000003
【図３】
0003848180.tif 000004
【図４】
0003848180.tif 000005
【図５】
0003848180.tif 000006
【図６】
0003848180.tif 000007
【図７】
0003848180.tif 000008
【図８】
0003848180.tif 000009
【図９】
0003848180.tif 000010
【図１０】
0003848180.tif 000011
【図１１】
0003848180.tif 000012
【図１２】
0003848180.tif 000013
【図１３】
0003848180.tif 000014
【図１４】
0003848180.tif 000015
【図１５】
0003848180.tif 000016
【図１６】
0003848180.tif 000017
【図１７】
0003848180.tif 000018
【図１８】
0003848180.tif 000019
【図１９】
0003848180.tif 000020